(57)【要約】【課題】  美錠の連結解除がし難い、バンドの小穴を損傷し易い。【解決手段】  二つの側壁２に跨る美錠枠３と、美錠枠３に対向する開口部側で、連結ピン４に軸着されたツク棒５を有する美錠１と、美錠１を一方のバンド９の端部に取付けると共に、ツク棒５を挿脱する複数の小穴１１を有する他方のバンド１０とよりなる。美錠枠３のツク棒５の先端部５aが当接する相当位置にツク棒５の先端部５aが美錠枠３を上下方向に通過する切欠き部３aを形成し、美錠枠３内でバンドの長手方向にスライドして、切欠き部３aを開閉する開閉部材６を弾性部材（板バネ）７により付勢されるように配設する。開閉部材６をスライドさせて、切欠き部３aが開きツク棒５の先端部５aが美錠枠３の下側に回動するのでバンドは離脱し易い。小穴は下面が面取り又は傾斜しているのでツク棒が抜き易く、連結解除は容易である。ツク棒が復帰し易い。小穴を損傷し難い。【選択図】  図１
2007029118.tif 000002
【特許請求の範囲】
【請求項１】
二つの側壁と該側壁に跨る美錠枠と、該美錠枠に対向する開口部に回動自在に軸着されたツク棒を有する美錠と、該美錠を一方のバンドの端部に取付けると共に、前記ツク棒を挿脱する複数の小穴を有する他方のバンドとよりなり、前記一方のバンドに配設された美錠のツク棒を前記他方のバンドに形成された所定の小穴に挿通し、ツク棒の先端部が前記美錠枠に当接することにより連結される時計バンドの美錠構造において、前記美錠枠のツク棒の先端部が当接する相当位置にツク棒の先端部が美錠枠を上下方向に通過する切欠き部を形成し、前記美錠枠内に、前記切欠き部を開閉する機能を有する開閉部材を配設したことを特徴とする時計バンドの美錠構造。
【請求項２】
前記切欠き部を開閉する開閉部材は、前記美錠枠内でバンドの長手方向にスライド可能に形成し、通常状態（第１の状態）ではバネ部材の弾性力で前記切欠き部を閉鎖してツク棒の先端は開閉部材に当接して下方への通過を阻止し、操作状態（第２の状態）ではバネ部材の弾性力に抗して開閉部材をスライドさせることにより、前記美錠枠の切欠き部が開放され、ツク棒の先端部を押圧または美錠枠を上方に引き上げることによりツク棒の先端部は切欠き部を通過して美錠枠の下側に回動するように構成したことを特徴とする請求項１記載の時計バンドの美錠構造。
【請求項３】
前記開閉部材の両側に操作用ツマミを配設したことを特徴とする請求項２記載の時計バンドの美錠構造。
【請求項４】
前記切欠き部を開閉する開閉部材は、開閉部材の一部に美錠枠に形成された切欠き部と略同等か広い凹部を有し、バンドの短手方向にスライド可能に形成し、通常状態（第１の状態）ではバネ部材の弾性力で前記切欠き部を閉鎖してツク棒の先端は開閉部材に当接して下方への通過を阻止し、操作状態（第２の状態）ではバネ部材の弾性力に抗してスライドさせることにより、開閉部材の凹部と前記美錠枠の切欠き部とが合致して美錠枠の切欠き部は開放され、ツク棒の先端部を押圧または美錠枠を上方に引き上げることによりツク棒の先端部は切欠き部を通過して美錠枠の下側に回動するように構成したことを特徴とする請求項１記載の時計バンドの美錠構造。
【請求項５】
前記開閉部材の片側に操作用押圧部を配設したことを特徴とする請求項４記載の時計バンドの美錠構造。
【請求項６】
前記切欠き部を開閉する開閉部材は、前記バンドの短手方向にスライド可能に形成し、通常状態（第１の状態）ではバネ部材の弾性力で前記切欠き部を閉鎖してツク棒の先端は開閉部材に当接して下方への通過を阻止し、操作状態（第２の状態）ではバネ部材に弾性力に抗してスライドさせることにより、前記美錠枠の切欠き部は開放され、ツク棒の先端部を押圧または美錠枠を上方に引き上げることによりツク棒の先端部は切欠き部を通過して美錠枠の下側に回動するように構成したことを特徴とする請求項１記載の時計バンドの美錠構造。
【請求項７】
前記開閉部材の先端に操作用ツマミを配設したことを特徴とする請求項６記載の時計バンドの美錠構造。
【請求項８】
前記切欠き部を開閉する開閉部材は、円板で外周部の一部に美錠枠に形成された切欠き部と略同等か広い凹部を有し回動可能に形成し、通常状態（第１の状態）では円板の外周部で前記切欠き部を閉鎖してツク棒の先端は開閉部材に当接して下方への通過を阻止し、操作状態（第２の状態）では円板の外周部に形成された凹部と前記美錠枠の切欠き部とが合致して美錠枠の切欠き部は開放され、ツク棒の先端部を押圧または美錠枠を上方に引き上げることによりツク棒の先端部は切欠き部を通過して美錠枠の下側に回動するように構成したことを特徴とする請求項１記載の時計バンドの美錠構造。
【請求項９】
前記開閉部材（円板）の外周部の一部を美錠枠の外側から突出していることを特徴とする請求項８記載の時計バンドの美錠構造。
【請求項１０】
前記他方のバンドに配設された複数の小穴はその下面側において、前記ツク棒の挿脱する方向に斜面を形成したことを特徴とする請求項１〜９の何れか１項記載の時計バンドの美錠構造。
【請求項１１】
前記小穴に形成された斜面は面取りであることを特徴とする請求項１０記載の時計バンドの美錠構造。
【請求項１２】
前記小穴に形成された斜面は傾斜穴であることを特徴とする請求項１０記載の時計バンドの美錠構造。
【請求項１３】
前記美錠を構成するツク棒の回動軸近傍の下側に当接してツク棒を上方に復帰させる弾性部材を配設したことを特徴とする請求項１から９の何れか１項記載の時計バンドの美錠構造。
【請求項１４】
前記弾性部材は、コイルバネ又は板バネであることを特徴とする請求項１３記載の時計バンドの美錠構造。
【発明の詳細な説明】
【技術分野】
【０００１】
本発明は、一般に腕時計に使用される時計バンドに係り、詳しくは、天然又は合成皮革製などの時計バンドの美錠構造に関する。
【背景技術】
【０００２】
従来、一般的に使用されている皮製の時計バンドの構造は、天然皮革片又は合成皮革片を重ね合わせてバンドを構成するのに、バンドの形状に形成された中芯部材に、表面部材としてワニ、トカゲなどの天然皮革を、裏面部材に合成皮革を使用し、接合部をミシンかけ又は熱溶融性接着剤等を塗布して熱加圧などして接合している。これらの皮革バンドや樹脂バンドなどは、一方のバンド端に美錠を備え、他方のバンドの所定位置に複数の小穴を有し、この美錠と小穴を介してバンドを連結する構造となっている。（例えば、特許文献１参照）
【特許文献１】登録実用新案第３１０８５０４号公報（第２頁、図４）
【０００３】
上記した特許文献１に開示されている時計バンドの美錠構造は、図１２〜図１５に示すように、美錠２１は、二つの側壁２２と該側壁２２に跨る美錠枠２３と、該美錠枠２３に対向する開口部に連結ピン２４により回動自在に軸着されたツク棒２５を有する。
【０００４】
前記美錠２１は一方のバンド２６の端部に取付けると共に、他方のバンド２７には前記ツク棒２５を挿脱する複数の小穴２８が形成されている。前記一方のバンド２６に取付けられた美錠２１のツク棒２５を他方のバンド２７に形成された所定の位置の小穴２８に挿通し、ツク棒２５の先端部２５ａが美錠枠２３に当接することにより、二つのバンドは連結される。
【発明の開示】
【発明が解決しようとする課題】
【０００５】
解決しようとする問題点は、上記した特許文献１に開示されている時計バンドの美錠構造において、図１４および図１５（図１４のＡ部拡大図）に示すように、時計バンドの連結を解除する場合、ツク棒２５を小穴２８から抜くのに、小穴２８の下面でツク棒２５の挿脱する方向の角部２８ａ（図１５参照）に強く当りバンドがはずし難い。また、小穴２８を傷めてしまう。特に新品のバンドではバンド部材が硬く、馴染みにくいので、その傾向は顕著である。などの致命的な問題がある。
【０００６】
本発明は、上述の欠点を解消するもので、その目的は、バンドの着脱操作性に優れ、バンドの小穴を傷付けない時計バンドの美錠構造を提供するものである。
【課題を解決するための手段】
【０００７】
上記目的を達成するために、本発明における時計バンドの美錠構造は、二つの側壁と該側壁に跨る美錠枠と、該美錠枠に対向する開口部に回動自在に軸着されたツク棒を有する美錠と、該美錠を一方のバンドの端部に取付けると共に、前記ツク棒を挿脱する複数の小穴を有する他方のバンドとよりなり、前記一方のバンドに配設された美錠のツク棒を前記他方のバンドに形成された所定の小穴に挿通し、ツク棒の先端部が前記美錠枠に当接することにより連結される時計バンドの美錠構造において、前記美錠枠のツク棒の先端部が当接する相当位置にツク棒の先端部が美錠枠を上下方向に通過する切欠き部を形成し、前記美錠枠内に、前記切欠き部を開閉する機能を有する開閉部材を配設したことを特徴とするものである。
【０００８】
また、前記切欠き部を開閉する開閉部材は、前記美錠枠内でバンドの長手方向にスライド可能に形成し、通常状態（第１の状態）ではバネ部材の弾性力で前記切欠き部を閉鎖してツク棒の先端は開閉部材に当接して下方への通過を阻止し、操作状態（第２の状態）ではバネ部材の弾性力に抗してスライドさせることにより、前記美錠枠の切欠き部が開放され、ツク棒の先端部を押圧または美錠枠を上方に引き上げることによりツク棒の先端部は切欠き部を通過して美錠枠の下側に回動するように構成したことを特徴とするものである。
【０００９】
また、前記開閉部材の両側に操作用ツマミを配設したことを特徴とするものである。
【００１０】
また、前記切欠き部を開閉する開閉部材は、開閉部材の一部に美錠枠に形成された切欠き部と略同等か広い凹部を有し、バンドの短手方向にスライド可能に形成し、通常状態（第１の状態）ではバネ部材の弾性力で前記切欠き部を閉鎖してツク棒の先端は開閉部材に当接して下方への通過を阻止し、操作状態（第２の状態）ではバネ部材に弾性力に抗してスライドさせることにより、開閉部材の凹部と前記美錠枠の切欠き部とが合致して美錠枠の切欠き部は開放され、ツク棒の先端部を押圧または美錠枠を上方に引き上げることによりツク棒の先端部は切欠き部を通過して美錠枠の下側に回動するように構成したことを特徴とするものである。
【００１１】
また、前記開閉部材の片側に操作用押圧部を配設したことを特徴とするものである。
【００１２】
また、前記切欠き部を開閉する開閉部材は、前記バンドの短手方向にスライド可能に形成し、通常状態（第１の状態）ではバネ部材の弾性力で前記切欠き部を閉鎖してツク棒の先端は開閉部材に当接して下方への通過を阻止し、操作状態（第２の状態）ではバネ部材に弾性力に抗してスライドさせることにより、前記美錠枠の切欠き部は開放され、ツク棒の先端部を押圧または美錠枠を上方に引き上げることによりツク棒の先端部は切欠き部を通過して美錠枠の下側に回動するように構成したことを特徴とするものである。
【００１３】
また、前記開閉部材の先端に操作用ツマミを配設したことを特徴とするものである。
【００１４】
また、前記切欠き部を開閉する開閉部材は、円板で外周部の一部に美錠枠に形成された切欠き部と略同等か広い凹部を有し回動可能に形成し、通常状態（第１の状態）では円板の外周部で前記切欠き部を閉鎖してツク棒の先端は開閉部材に当接して下方への通過を阻止し、操作状態（第２の状態）では円板の外周部に形成された凹部と前記美錠枠の切欠き部とが合致して美錠枠の切欠き部は開放され、ツク棒の先端部を押圧または美錠枠を上方に引き上げることによりツク棒の先端部は切欠き部を通過して美錠枠の下側に回動するように構成したことを特徴とするものである。
【００１５】
また、前記開閉部材（円板）の外周部の一部を美錠枠の外側に突出していることを特徴とするものである。
【００１６】
また、前記他方のバンドに配設された複数の小穴はその下面側において、前記ツク棒の挿脱する方向に斜面を形成したことを特徴とするものである。
【００１７】
また、前記小穴に形成された斜面は面取りであることを特徴とするものである。
【００１８】
また、前記小穴に形成された斜面は傾斜穴であることを特徴とするものである。
【００１９】
また、前記美錠を構成するツク棒の回動軸近傍の下側に当接してツク棒を上方に復帰させる弾性部材を配設することを特徴とするものである。
【００２０】
また、前記弾性部材は、コイルバネ又は板バネであることを特徴とするものである。
【発明の効果】
【００２１】
本発明の時計バンドの美錠構造は、美錠枠に形成された切欠き部の開閉を、開閉部材の操作により、通常状態（第１の状態）ではバネ部材の弾性力で前記切欠き部を閉鎖してツク棒の先端は開閉部材に当接して下方への通過を阻止し、操作状態（第２の状態）では開閉部材が移動して、美錠枠の切欠き部が開放され、ツク棒の先端部を押圧または美錠枠を上方に引き上げることによりツク棒の先端部は切欠き部を通過して美錠枠の下側に回動する。従って、バンドの連結を解除するのに、ツク棒を美錠枠の下方に回動することにより、ツク棒は小穴から抜き易い。また、小穴にツク棒の挿脱する方向に斜面を形成することにより、ツク棒は小穴から一層容易に抜くことができ、小穴を損傷することはない。また、ツク棒を上方に復帰させる弾性部材を配設することにより、弾性部材の弾性力で、常にツク棒を美錠枠の上方に復帰させるように作用して、何時でもバンドを連結可能状態に待機することができる。バンドの品質を損なうことなく、容易に着脱可能な時計バンドの美錠構造を提供することが可能である。
【発明を実施するための最良の形態】
【００２２】
本発明の時計バンドについて、図面に基づいて説明する。
【実施例１】
【００２３】
図１〜図３は、本発明の実施例１に係わり、図１は、一方のバンド端に配設された美錠の通常状態（第１の状態）の斜視図、図２は、板バネを装着した開閉部材の斜視図、図３は、美錠の操作状態（第２の状態）の斜視図である。図１、図２において、時計バンドの美錠１の構成は、二つの側壁２と該側壁２に跨る美錠枠３と、該美錠枠３に対向する開口部に回動自在に連結ピン４に軸着されたツク棒５を有し、前記美錠枠３のツク棒５の先端部５ａが当接する相当位置に、ツク棒５の先端部５ａが美錠枠３を上下方向に通過できる切欠き部３ａを形成する。また、前記美錠枠３内において、切欠き部３ａを開閉する機能を有する開閉部材６を配設する。
【００２４】
前記切欠き部３ａを開閉する開閉部材６は、前記美錠枠３内でバンドの長手方向にスライド可能に形成し、スライド方向の端面に弾性部材７（板バネ）が固着されている。また、前記開閉部材６の両側面には操作用ツマミ８が取付けられている。前記美錠１は一方のバンド９の端部に取付けられる。
【００２５】
図４および図５は、他方のバンドに配設した小穴の形状を示す断面図である。図４において、他方のバンド１０には所定の間隔で前記ツク棒５が挿入する小穴１１が形成されている。小穴１１の下面でツク棒５の挿脱する方向の角部には面取り１０ａが施されている。
【００２６】
また、図５において、他方のバンド１０には所定の間隔で前記ツク棒５が挿入する小穴１２が形成されている。この小穴１２（傾斜穴）はツク棒５の挿脱する方向に所定の角度傾斜して形成されている。
【００２７】
図６および図７は、弾性部材を具備した美錠の部分平面図および分解斜視図である。図６および図７において、美錠１を構成するツク棒５の回動軸（連結ピン４）近傍の下側に当接してツク棒５を上方に復帰させる弾性部材として板バネ１３を配設する。板バネ１３の代わりにコイルバネによる復帰機構を使用しても良い。
【００２８】
上記構成の美錠の作用効果について説明する。図１に示すように、二つのバンドを連結する前の通常状態（第１の状態）では、美錠１を構成するツク棒５の先端部５ａは、美錠枠３の上方に位置する。前記開閉部材６はバネ部材７の弾性力で前記切欠き部３ａを閉鎖してツク棒５の先端部５ａは開閉部材６に当接して下方への通過を阻止する。その状態で前記二つのバンド９、１０を連結する。図４に示すように、他方のバンド１０に形成された小穴１１の下面に面取り１０ａが施してあり、または、図５に示すように、小穴１２は傾斜しているので、前記ツク棒５の先端部５ａは容易に挿入することができる。
【００２９】
また、図１〜図３において、二つのバンドの連結を解除する操作状態（第２の状態）では、バネ部材７の弾性力に抗して開閉部材６の両側に配設されている操作用ツマミ８を矢印Ｂ方向にスライドさせることにより、前記美錠枠３の切欠き部３ａは開放され、ツク棒５の先端部５ａを矢印Ｄ方向に押圧するか、または美錠枠３を上方に引き上げることにより、図３に示すように、ツク棒５の先端部５ａは切欠き部３ａを通過して美錠枠３の下側に回動する。この状態で、小穴１１（１２）が面取りまたは傾斜しているので、二つのバンドは何等抵抗もなく容易に離脱することができる。
【００３０】
また、小穴１１（１２）のある他方のバンド９が美錠１から離脱した後、ツク棒５を上方に復帰させる板バネ１３の弾性力でツク棒５は起立し、その先端部５ａは美錠枠３の切欠き部３ａを通過して美錠枠３の上方に戻る。その状態で開閉部材６の両側に配設されている操作用ツマミ８を離すと、開閉部材６は板バネの弾性力で矢印Ｃ方向にスライドして美錠枠３の切欠き部３ａを封鎖する。
【００３１】
以上述べたように、美錠枠３に形成した切欠き部３ａを、開閉部材６で開閉することにより、ツク棒５の先端部５ａを美錠枠３の上下方向の回動する構造と、小穴に施した面取りまたは傾斜が相乗して、バンドの小穴を傷めることなく、バンドの着脱操作が容易になる。
【実施例２】
【００３２】
図８および図９は、本発明の実施例２に係わる時計バンドの美錠構造を示し、図８は、美錠の通常状態（第１の状態）を示す要部斜視図、図９は、美錠の操作状態（第２の状態）を示す要部斜視図である。図８および図９において、実施例１と異なるところは、開閉部材１４はバンドの短手方向にスライドし、開閉部材１４の一部に美錠枠３に形成された切欠き部３ａと略同等か広い凹部１４ａを形成する。前記開閉部材１４の先端にはコイルバネ１５を収納し、外側端部に押圧部１４ｂを設ける。
【００３３】
上記構成の美錠の作用効果について説明する。図８に示すように、通常状態（第１の状態）では、開閉部材１４はコイルバネ１５の弾性力で前記切欠き部３ａを閉鎖して図示しないツク棒の先端は開閉部材１４に当接して下方への通過を阻止する。また、矢印Ｅ方向に押圧部１４ｂを押圧する操作状態（第２の状態）では、コイルバネ１５の弾性力に抗して開閉部材１４をスライドさせることにより、図９に示すように開閉部材１４の凹部１４ａと前記美錠枠３の切欠き部３ａとが合致して美錠枠３の切欠き部３ａは開放されて、ツク棒５の先端部５aを押圧するか、または美錠枠３を上方に引き上げることによりツク棒５の先端部５aは切欠き部３aを通過して美錠枠３の下側に回動する。実施例１の作用効果と同様に、他方のバンド１０の小穴１１（１２）が面取りまたは傾斜しているので、二つのバンドは何等抵抗もなく容易に離脱することができる。更に、ツク棒５を上方に復帰させる板バネ１３の弾性力でツク棒５は起立してその先端部５aは美錠枠３の切欠き部３aを通過して美錠枠３の上方に戻る。開閉部材１４の押圧部１４ｂを離すとコイルバネ１５の弾性力で開閉部材１４は元の位置に戻り美錠枠３の切欠き部３ａを封鎖する。尚、最適な美錠の締結解除方法は、親指で押圧部１４ｂを押圧しながら他の指で押圧部１４ｂと反対側の美錠枠３をおさえ、即ち、二つの指で美錠枠３を挟むような状態で上方に引き上げることでなされる。
【００３４】
以上述べたように、美錠枠３に形成した切欠き部３ａを、開閉部材１４で開閉することにより、ツク棒５の先端部５aを美錠枠３の上下方向の回動する構造と、小穴に施した面取りまたは傾斜が相乗して、バンドの小穴を傷めることなく、バンドの着脱操作が容易になる。
【実施例３】
【００３５】
図１０は、本発明の実施例３に係わる通常状態（第１の状態）を示す要部斜視図である。図１０において、実施例１と異なるところは、開閉部材１６はバンドの短手方向にスライドし、開閉部材１６の側壁に板バネ１７を配設し、開閉部材１６の操作部１６aを美錠枠３の外側端部に露出させる。１８は固定部材である。
【００３６】
上記構成の美錠の作用効果について説明する。図１０に示すように、通常状態（第１の状態）では、開閉部材（可動部材）１６は固定部材１８との間に介在する板バネ１７の弾性力で前記切欠き部３ａを閉鎖して図示にないツク棒の先端は開閉部材１６に当接して下方への通過を阻止する。また、矢印F方向に操作部１６aをスライドする操作状態（第２の状態）では、板バネ１７の弾性力に抗して開閉部材１６をスライドさせることにより、開閉部材１６がスライドして美錠枠３の切欠き部３ａは開放されて、ツク棒５の先端部５aを押圧するか、または美錠枠３を上方に引き上げることによりツク棒５の先端部５aは切欠き部３aを通過して美錠枠３の下側に回動する。実施例１の作用効果と同様に、バンドの挿脱、ツク棒の復帰などの作用効果は同様である。
【実施例４】
【００３７】
図１１は、本発明の実施例４に係わる通常状態（第１の状態）を示す要部平面図である。図１１において、実施例１〜実施例３と異なるところは、美錠枠３に軸着された開閉部材（回転円板）１９を使用したとこりである。図１１に示すように、開閉部材１９は円板の外周部の一部に美錠枠３に形成された切欠き部３aと略同等か広い凹部１９aを少なくとも１個以上（図１１では２個）形成して、支軸にて回動可能に形成する。また、前記開閉部材（円板）１９の外周部の一部が美錠枠３の外側に突出している。開閉部材１９にはボールとコイルバネを組合したバネ付ボール２０（図１１では２個）を埋設し、美錠枠３に形成された円状の溝付レール３b及び溝付レール３b上の所定位置に前記バネ付ボール２０が入る凹部３c（図１１では４個）が形成されている。開閉部材１９の回動により開閉部材１９は所定の位置に節度良く回動して位置決めされるように構成されている。
【００３８】
上記構成の美錠の作用効果について説明する。図１１に示すように、通常状態（第１の状態）では、開閉部材１９（円板）の外周部で美錠枠３の切欠き部３aを閉鎖してツク棒５の先端部５aは開閉部材１９に当接して下方への通過を阻止し、開閉部材１９を矢印GまたはH方向に回動することにより前記バネ付ボール２０が溝付レール３b上の凹部３c内に入り、節度良く位置決めされる。また、操作状態（第２の状態）では開閉部材１９の外周部に形成された凹部１９aと前記美錠枠３の切欠き部３aとが合致して美錠枠３の切欠き部３aは開放され、ツク棒５の先端部５aを押圧するか、または美錠枠３を上方に引き上げることによりツク棒５の先端部５aは切欠き部３aを通過して美錠枠３の下側に回動する。実施例１〜実施例３の作用効果と同様に、バンドの挿脱、ツク棒の復帰などの作用効果は同様である
【００３９】
上記した実施例1〜実施例４において、必要により、開閉部材が外部からの不用意な力に対して操作されないように、例えば、ストッパーのような安全装置を付加しても良い。
【００４０】
以上述べたように、二つのバンドを連結した通常状態（第１の状態）から、連結を解除する操作状態（第２の状態）において、開閉部材とツク棒の操作で、バンドの小穴を損なうことなく、二つのバンドは何等抵抗もなく容易に離脱することができる。また、ツク棒の復帰が容易である。バンドの外観性、操作性に優れた時計バンドの美錠構造を提供することが可能である。
【図面の簡単な説明】
【００４１】
【図１】本発明の実施例１に係り、一方のバンド端に配設された美錠の通常状態（第１の状態）の斜視図である。
【図２】図１の板バネを装着した開閉部材の斜視図である。
【図３】図１の美錠の操作状態（第２の状態）の斜視図である。
【図４】本発明の他方のバンドの小穴に面取りをした状態の部分断面図である。
【図５】本発明の他方のバンドの小穴に傾斜を施した状態の部分断面図である。
【図６】本発明の美錠にツク棒を復帰させる板バネを配設した状態の部分平面図である。
【図７】図６の分解斜視図である。
【図８】本発明の実施例２に係り、一方のバンド端に配設された美錠の通常状態（第１の状態）の要部斜視図である。
【図９】図８の美錠の操作状態（第２の状態）の要部斜視図である。
【図１０】本発明の実施例３に係り、一方のバンド端に配設された美錠の通常状態（第１の状態）の要部斜視図である。
【図１１】本発明の実施例４に係り、一方のバンド端に配設された美錠の通常状態（第１の状態）の要部斜視図である。
【図１２】従来の時計バンドの美錠構造を示す平面図である。
【図１３】図１２の美錠の斜視図である。
【図１４】図１２のバンドを連結した状態の側面図である。
【図１５】図１２の他方のバンドの部分断面図である。
【符号の説明】
【００４２】
１  美錠
２  側壁
３  美錠枠
３a  切欠き部
３b  溝付レール
３c  凹部
５  ツク棒
５a  先端部
６、１４、１６、１９  開閉部材
７、１７  板バネ
９  一方のバンド
１０  他方のバンド
１０a   面取り
１１  小穴（面取り付）
１２  小穴（傾斜付）
１３  板バネ（ツク棒復帰用）
１５  コイルバネ
２０  バネ付ボール
【図１】
2007029118.tif 000003
【図２】
2007029118.tif 000004
【図３】
2007029118.tif 000005
【図４】
2007029118.tif 000006
【図５】
2007029118.tif 000007
【図６】
2007029118.tif 000008
【図７】
2007029118.tif 000009
【図８】
2007029118.tif 000010
【図９】
2007029118.tif 000011
【図１０】
2007029118.tif 000012
【図１１】
2007029118.tif 000013
【図１２】
2007029118.tif 000014
【図１３】
2007029118.tif 000015
【図１４】
2007029118.tif 000016
【図１５】
2007029118.tif 000017